(57)【要約】【課題】カメラの記録媒体に記録された画像データが、他の記録媒体にバックアップされているかどうかを容易に確認する手段を提供し、不明確な判断によるデータ消失といった誤操作を未然に防ぐ。【解決手段】カメラ１は、撮像された画像を画像ファイルとして第１記録媒体に記録する記録手段１６と、前記第１記録媒体に記録された画像から、任意に画像を選択するための選択手段Ｓ１０２と、前記選択された画像を第２記録媒体に複写する複写手段Ｓ１１１と、前記複写された前記画像のリストを履歴ファイル２０８として作成し、前記履歴ファイルを前記第１記録媒体に格納する履歴ファイル作成手段Ｓ１１２とを具備する。【選択図】図６
2006311067.tif 000002
【特許請求の範囲】
【請求項１】
光学像を撮影し、静止画又は動画を含む画像を提供する撮影手段と、
前記撮影手段によって得られた画像を、画像ファイルとして第１記録媒体に記録する記録手段と、
前記第１記録媒体に記録された画像から、任意に画像を選択するための選択手段と、
前記選択手段により選択した画像を、第２記録媒体に複写する複写手段と、
前記複写手段により複写された前記画像のリストを履歴ファイルとして作成し、前記履歴ファイルを前記第１記録媒体に格納する履歴ファイル作成手段と、
を具備することを特徴とする電子カメラ装置。
【請求項２】
前記履歴ファイル作成手段は、前記複写手段により複写された前記画像の複写先が識別できるよう前記履歴ファイルを作成することを特徴とする請求項１記載の電子カメラ装置。
【請求項３】
前記第１記録媒体は前記装置に装備されたハードディスクドライブであって、前記第２記録媒体は装置に着脱可能なメモリカードであることを特徴とする請求項２記載の電子カメラ装置。
【請求項４】
前記第１記録媒体は装置に着脱可能なメモリカードであって、前記第２記録媒体は前記装置に装備されたハードディスクドライブであることを特徴とする請求項２記載の電子カメラ装置。
【請求項５】
前記履歴ファイル作成手段は、前記複写手段により前記第１記録媒体に記録された他の画像が前記第２記録媒体へ複写された場合、前記履歴ファイルを更新する手段を有することを特徴とする請求項１記載の電子カメラ装置。
【請求項６】
前記複写手段による複写が前記電子カメラ装置に接続された外部記録装置への複写の場合、前記更新手段は既に作成されている前記履歴ファイルを前記外部記録装置へ送信し、該外部記録装置から更新された履歴ファイルを受信することを特徴とする請求項５記載の電子カメラ装置。
【請求項７】
前記複写ファイル作成手段は、前記第２記録媒体に複写された画像が、前記第１記録媒体から複写されたことを示す第２履歴ファイルを前記第２記録媒体内に格納する手段を有することを特徴とする請求項１記載の電子カメラ装置。
【請求項８】
前記履歴ファイル作成手段は、前記複写手段により前記第１記録媒体に記録された他の画像が前記第２記録媒体へ複写された場合、前記第２記録媒体内の前記第２履歴ファイルを更新する手段を有することを特徴とする請求項７記載の電子カメラ装置。
【請求項９】
前記第１記録媒体に記録された前記画像を再生する再生手段と、
前記再生手段により再生された画像を表示する表示手段と、
前記第１記録媒体に記録された前記画像を前記表示手段により表示する場合、前記履歴ファイルを参照して、表示中の画像が前記複写手段により複写済みか判断し、複写済みの場合はその旨を示すアイコンを前記表示されている画像と共に前記表示手段に表示する手段とを具備することを特徴とする請求項１記載の電子カメラ装置。
【請求項１０】
前記第１記録媒体に記録された前記画像を再生する再生手段と、
前記再生手段により再生された画像を表示する表示手段と、
前記第１記録媒体に記録された前記画像の中から削除候補を選択し前記表示手段により表示する手段と、
前記履歴ファイルを参照して、表示中の画像が前記複写手段により複写済みか判断する手段と、
前記削除候補が複写済みではなく、更に前記削除候補の削除が指示された場合に警告表示を行う手段とを具備することを特徴とする請求項１記載の電子カメラ装置。
【請求項１１】
光学像を撮影して得られた画像を、画像ファイルとして第１記録媒体に記録するステップと、
前記第１記録媒体に記録された画像から、任意に画像を選択するステップと、
前記選択した画像を、第２記録媒体に複写するステップと、
前記複写された前記画像のリストを、複写状態を示す履歴ファイルとして作成し、前記履歴ファイルを前記第１記録媒体に格納するステップと、
を具備することを特徴とする電子カメラ装置の履歴ファイル作成方法。
【発明の詳細な説明】
【技術分野】
【０００１】
本発明は、撮影して記録媒体に記録された複数の画像を他の記録媒体によりバックアップする機能を有する電子カメラ装置に関する。
【背景技術】
【０００２】
デジタルカメラ等の電子カメラ装置は、半導体メモリからなるメモリカードなどの可搬型記録媒体を装着可能である。撮影した画像はメモリカードに格納できる。ユーザーの操作により、メモリカードに格納されている画像データが読み出され、カメラに装備されている液晶表示部に表示される。
【０００３】
下記特許文献１には、デジタルカメラにより撮影してメモリカードに記録した複数の画像の中で、不要な画像のみを確実に削除可能なデジタルカメラが開示されている。この文献のカメラでは、第１及び第２ＬＣＤパネルが設けられ、画像削除モードに設定されたときに、第１ＬＣＤパネルには、メモリカードに記録された画像のインデックス画像が一覧表示された画像リスト画面が表示される。また、第２ＬＣＤパネルには、画像リスト画面にて削除対象として選択されたインデックス画像が移動して一覧表示された削除画像リスト画面が同時に表示される。第２ＬＣＤパネルに表示された削除対象の画像は、該画像を再び選択することにより削除指定が解除され、第２ＬＣＤパネルから第１ＬＣＤパネルに移動される。削除実行アイコンを選択することで、第２ＬＣＤパネルに表示されているインデックス画像に対応する画像データが削除される。
【特許文献１】特開２００４−２４２０９３号公報
【発明の開示】
【発明が解決しようとする課題】
【０００４】
最近になって、大容量記録媒体であるＨＤＤ(hard disk drive) を搭載したデジタルカメラが開発された。このようなカメラでは、記録できる静止画の数及び動画像の記録時間が、従来のデジタルカメラより飛躍的に増大されている。
【０００５】
デジタルカメラのＨＤＤに記録された静止画及び動画を含む画像は、カメラに装着されたメモリカードあるいはカメラに接続されたＰＣ(personal computer)における記録媒体にバックアップすなわち複写することが可能である。例えば、デジタルカメラのＨＤＤに記録された画像を選択的に削除する場合など、当該画像が他の記録媒体にバックアップされているか否かを知るには、カメラに装着されたメモリカード又はパソコンといった外部の記録媒体のデータをユーザーが調べ、カメラのＨＤＤに記録されたデータと同一であるかを確認する必要がある。
【０００６】
このように従来の技術では、記録された画像のバックアップ状態は、人間による目視と過去の記憶で判断することになるため、誤ってデータを消去したりする可能性があった。
【０００７】
カメラの記録媒体に記録された画像データが、他の記録媒体にバックアップされているかどうかを容易に確認する手段を提供し、不明確な判断によるデータ消失といった誤操作を未然に防ぐことを目的とする。
【課題を解決するための手段】
【０００８】
本発明では、デジタルカメラ等の電子カメラ装置に装備されたＨＤＤと、カメラに装着されたメモリカード及びパソコンといった外部の記録媒体に、画像データがバックアップされているか否かを示す履歴ファイルを提供し、カメラの表示部には、各画像のバックアップ状態が表示される。
【０００９】
本発明に係る電子カメラ装置は、光学像を撮影し、静止画又は動画を含む画像を提供する撮影手段と、第１記録媒体を有し、前記撮影手段によって得られた画像を、画像ファイルとして前記第１記録媒体に記録する記録手段と、前記第１記録媒体に記録された画像から、任意に画像を選択するための選択手段と、前記選択手段により選択した画像を、第２記録媒体に複写する複写手段と、前記複写手段により複写された前記画像のリストを履歴ファイルとして作成し、前記履歴ファイルを前記第１記録媒体に格納する履歴ファイル作成手段とを具備する。
【発明の効果】
【００１０】
本発明の電子カメラ装置によれば、ユーザーの目視や過去の記憶による判断ではなく、対象となる画像データのバックアップ状態を確認可能となり、誤ってデータを消去するといった誤操作を未然に防ぐことが可能となる。
【発明を実施するための最良の形態】
【００１１】
以下、図面を参照してこの発明の実施形態を説明する。
【００１２】
図１（Ａ）、図１（Ｂ）は、本発明が適用される電子カメラ装置１の概観を示す図である。図１（Ａ）は電子カメラ装置１を前方下部から見たときの斜視図である。１０１は撮像レンズ、１０２はフラッシュ、１０３はシャッターボタン、１０４はリモコン受信部、１０５はバッテリーカバーである。
【００１３】
図１（Ｂ）は電子カメラ装置１を後方の左側から見たときの斜視図である。１１１は液晶モニタ、１１２はスピーカであり、これらは表示部１１０として一体化されている。この表示部１１０は、通常は電子カメラ装置１の本体の凹部に収まるもので、使用時には図に示すように開かれる。
【００１４】
１１５はムービー録画ボタンであり、動画記録を行うときに操作される。１１４はズームバーであり、ズーム調整に使用される。１１６はジョグダイヤルであり、各種機能の選択操作を行うために使用され、１２０のＯＫボタンにより選択された機能が確定される。ジョグダイヤル１１６の操作内容、状況は液晶モニタ１１１に表示される。１１７はメニューボタンであり、モニタ１１１にメニュー表示を行うために使用される。１１８はモードレバーであり、撮影モード／再生モードの切替えを行うために使用される。１１９は着脱可能な半導体メモリカードを収容するスロットのカバーであり、１１３は電源オンオフ用のパワーボタンである。
【００１５】
図２は、上記の電子カメラ装置１の光学系、電気系の構成を示すブロック図である。レンズ１０１から取り込まれた被写体像は、撮像素子１２（例えばＣＣＤ撮像素子）の結像面に結像する。被写体像は、ここで電気信号に変換されアナログデジタル（Ａ／Ｄ）変換部１３によりデジタル信号に変換され、信号処理部１４に入力する。信号処理部１４では、ガンマ補正、色信号分離、ホワイトバランス調整等が行われる。撮像素子１２、Ａ／Ｄ変換部１３、信号処理部１４などは撮像部として機能する。
【００１６】
通常の撮影状態でシャッタ操作がなされていないときは、信号処理部１４からの映像データは、メモリコントローラ１５を介して画像表示処理部６１に入力される。ここでは、撮影した画像を液晶モニタ１１１に表示するための変換処理及びメニュー等の合成処理を行う。画像表示処理部６１からの画像データは、液晶モニタ１１１に供給される。これにより、撮像中の画像、あるいはスタンバイ状態で狙っている被写体画像が液晶モニタ１１１に表示される。
【００１７】
シャッタ操作がなされると、撮像画像データは、画像圧縮・伸張処理部１６において、画像圧縮（例えばＪＰＥＧ方式による圧縮）され、ＣＰＵ（中央演算装置）２０の制御の元で、記録メディアＩ／Ｏ ３１を介してハードディスク３２Ａ、或いは半導体メモリ（例えばＳＤカードと称されるメモリ）３２Ｂに格納される。記録メディアとしては、ここに示したものに限定されず光ディスクであってもよい。
【００１８】
記録メディアに保存されている画像データが読み出された場合は、該画像データはＣＰＵ２０の制御の元で、画像圧縮・伸張処理部１６において伸張処理され、メモリコントローラ１５を介して画像表示処理部６１に入力される。これにより再生画像が液晶モニタ１１１に表示される。
【００１９】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている画像データは、メモリコントローラ１５を介して画像表示処理部６１に入力されるので、液晶モニタ１１１で画像編集の様子を確認することができる。
【００２０】
編集時あるいは撮影時には、ＣＰＵ２０により制御され、マイク４３、音声Ｉ／Ｏ ４１を介して音声データも取り込むことができる。音声データは、撮影した画像データとペアとなり記録メディアに記録される。記録された音声データを再生するときは、撮像した画像データと同時に記録メディアから読み出し、画像再生を行いながら音声Ｉ／Ｏ ３１を介してスピーカ１１２から音声出力することができる。但し、本発明では、画像を再生し、確認を行うときに音声は消音することも可能である。
【００２１】
ＣＰＵ２０に対しては、操作部２１及びリモコン受信部１０４を介して、外部からの操作信号が与えられる。撮影時にＣＰＵ２０は、制御部１８を介して、操作信号に応じてズーム調整、自動アイリス調整（ＡＥ）、自動フォーカス調整（ＡＦ）、フラッシュ制御等を行うことができる。またＣＰＵ２０は、外部接続インターフェース１９にも接続されており、カメラをＴＶなどの外部表示装置との接続も可能である。操作部２１は、ここでは、図１で示した各種の操作ボタンなどを総称して示している。
【００２２】
図３はメニューボタン１１７の操作により、撮影メニューが液晶モニタ１１１に表示された様子を示している。ジョグダイヤル１１６と液晶モニタ１１１は隣り合って配置さている。そして、液晶モニタ１１１では、ジョグダイヤル１１６の円弧の一部が、表示されたような形態である。ジョグダイヤル１１６を回転させると、撮影メニューの各種項目が画面に次々とスクロールするように現れるとともに、画面の上下方向中央に位置した項目がカーソルで指示され、選択されるようになっている。
【００２３】
所望の項目が選択されたときに、ＯＫボタン１２０を押すと、選択された項目に関して詳細な設定を行うための画面に切り替わる。
【００２４】
図４（Ａ）は、「アルバム選択」という項目が選択されている様子を示している。ここでＯＫボタン１２０を押すと、図４（Ｂ）に示すように、記録メディアとしてハードディスク（ＨＤＤ）とＳＤカードのいずれを選択するのかを問い合わせてくる。ここでユーザーは、ＯＫボタン１２０を上向きの三角矢印の方向、或いは下向きの三角矢印の方向へ押し付けることにより、ＨＤＤまたはＳＤカードをカーソルで選択することができる。ＨＤＤをカーソルで選択した場合、「ＨＤＤ」と言う表示が液晶モニタ１１１に表示され、ＳＤカードを選択した場合、「ＳＤカード」という表示が液晶モニタ１１１に表示される。図４（Ｂ）は、「ＨＤＤ」が選択された様子を示している。
【００２５】
ここで、ハードディスクにすでに複数のアルバムがある場合は、図４（Ｃ）に示すように、アルバムアイコン６１，６２，６３がジョグダイヤル１１６の回転操作に伴って現れてくる。そしてこの場合は、中央に位置するアルバムアイコン６２のアルバムが選択可能であることを示している。このアルバムに対するアルバム名６４も表示される。
【００２６】
ここで、ＯＫボタン１２０を押して、アルバムアイコン６２に対応するアルバムを選択すると、このアルバムに対して、撮像データが関連付けられることになる。
【００２７】
今、図４（Ｃ）は、「family 101」というアルバムを選択した様子を示している。しかし、家族の中で、父親が撮影した第１のアルバム「family 101」に対して、息子が撮影した画像用の第２のアルバム「family」を作りたい場合がある。
【００２８】
このような場合、息子は、ＯＫボタン１２０を下向きの三角矢印の方向へ押し付けることにより、「新規作成」というアイテムを選択することができる。「新規作成」が選択された状態で、ＯＫボタン１２０が押されると、図４（Ｄ）に示すように、新しいアルバムが作成される。このときは、例えば第２のアルバムは「family102」として設定される。したがって、第１と第２のアルバムの区別は可能である。
【００２９】
続いて、さらにＯＫボタン１２０が押されると、図４（Ｅ）に示すように、アルバムに格納する画像ファイルの番号を、リセットするかどうかを問い合わせてくる。これは、ファミリーとしての第１のアルバムの続きとして第２のアルバムを作成したときは、画像ファイル番号が、連続したほうが好ましいし、第１のアルバムと、第２のアルバムとは独立したものとして扱う場合には、それぞれの画像ファイルは、初期値からスタートしたほうが好ましいからである。
【００３０】
この場合も、ユーザーは、ＯＫボタン１２０を上向きの三角矢印の方向、或いは下向きの三角矢印の方向へ押し付けることにより、「はい」「いいえ」のどちらかを選択することができる。
【００３１】
図４（Ｃ）の状態において、さらにジョグダイヤル１１６を回転させると、アルバムのアイコン（６１〜６３等）がスクロールする。ユーザーは任意のアルバムを選択可能であり、また新たなアルバムを作成することができる。
【００３２】
次に、本発明に係る履歴ファイルの作成及び更新について説明する。
【００３３】
図５はカメラ１とＰＣ(personal computer)２０４又は専用書き込み機２００を接続したシステムの構成を示す。専用書き込み機２００はＤＶＤ等の汎用可搬型メディア２０５に画像データを記録できる装置である。ＰＣ２０４はＨＤＤ（図示されず）及び／又は可搬型記録メディア２０５に対して画像データの記録再生を行うディスクドライブ２０７を有している。カメラ１と専用書き込み機２００は、ＵＳＢケーブル等のケーブルあるいは無線で接続可能である。同様にカメラ１とＰＣ２０４も、ＵＳＢケーブル等のケーブルあるいは無線で接続可能である。
【００３４】
次に、カメラ１により撮影された静止画や動画像をバックアップ（複写）する動作について説明する。
【００３５】
図６はバックアップリストの作成処理及び本発明に係るバックアップステイタスを示す履歴ファイルの作成及び更新処理を示すフローチャートである。ここではＨＤＤ３２Ａに記録された画像を他の記録媒体にバックアップする場合を説明する。しかし本発明はこの場合に限らず、例えばＳＤカード３２Ｂに記録された画像を、ＨＤＤ３２あるいはＰＣ２０４等の外部記録装置にバックアップする場合も、本発明を適用することができる。
【００３６】
先ずステップＳ１０１に示すように、ＣＰＵ２０はユーザーによる操作部２１の操作に応じて、図７に示すようなバックアップリスト作成用画面２２を表示する（ステップＳ１０１）。図７の画面２２ではＨＤＤ３２Ａに記録された画像及びアルバムが表示されている。画面２２のほぼ中央には、選択可能な画像が表示されている。この画像がＯＫボタン１２０の押下により選択されると（Ｓ１０２のＹＥＳ）、ＣＰＵ２０は、選択された画像のファイル名をバックアップリスト２０１に登録する（ステップＳ１０３）。
【００３７】
ジョグダイヤル１１６がユーザーにより回転されると（ステップＳ１０４のＹＥＳ）、ＣＰＵ２０はジョグダイヤル１１６の回転方向に応じて、バックアップリスト作成用画面２２に表示される画像を図中矢印方向にスクロールし、次の画像又は１つ前の画像を画面２２の中央に表示する（ステップＳ１０５）。このとき、あるアルバム内の最後の画像の次の画像としては、次のアルバムのアイコンが表示される。又、あるアルバム内の最初の画像の１つ前の画像としては、１つ前のアルバムのアイコンが表示される。図７の画面２２はこの状態を示している。
【００３８】
アルバムのアイコンが画面２２の中央に表示され、ＯＫボタン１２０により選択されると（ステップＳＳ１０７のＹＥＳ）、ＣＰＵ２０は選択されたアルバム中に格納されている最初の画像を画面２２の中央に表示する（ステップＳ１０１）。このようにしてユーザーは、複数のアルバムに渡って画像を選択し、バックアップリスト２０１に登録することができる。
【００３９】
図８（Ａ）は、このようにして登録された画像ファイルのバックアップリスト２０１を示す。ここで、バックアップリスト２０１に記載される内容について説明する。左上に記載された”ＤＢＯＦ”は、このファイルがバックアップリストであることを示す識別子である。一番左側の列に記載された番号「０００１」、「０００２」、…は、画像ファイルの数等を確認するための番号であって固定値である。「ＤＣＩＭ」は、各画像ファイル（静止画像ファイル又は動画像ファイル）がデジタルカメラで撮影されたことを示す識別子である。「１００ＴＯＳＨＩ」あるいは「１０１ＴＯＳＨＩ」等は画像ファイルが格納されているフォルダのフォルダ名である。本願においてフォルダは前述のアルバムに対応する。
【００４０】
「ＭＥＨ０００１．ｊｐｇ」、「ＭＥＨ００１０．ｍｐｇ」等は各画像ファイルのファイル名である。このファイル名において、「０００１」等の番号は、各フォルダにおいて画像ファイルが記録（撮影）された時間的順番を示し、「ｊｐｇ」は静止画像ファイル、「ｍｐｇ」は動画像ファイルを示す。例えば、最上段に記載されている「１００ＴＯＳＨＩ／ＭＥＨ０００１．ｊｐｇ」で示される画像ファイルは、フォルダ１００ＴＯＳＨＩに最初に記録された静止画ファイルＭＥＨ０００１．ｊｐｇであることを示す。
【００４１】
画像ファイルはユーザーにより選択された順に登録されている。図８（Ａ）では、先ず、フォルダ１００ＴＯＳＨＩ内に最初に記録されたファイルＭＥＨ０００１．ｊｐｇが登録された後、フォルダ１０１ＴＯＳＨＩに最初に記録されたファイルＭＥＨ０００１．ｍｐｇが登録され、その後、フォルダ１０１ＴＯＳＨＩの２番目のファイルＭＥＨ０１００．ｊｐｇが登録されている。
【００４２】
図６の説明に戻り、ステップＳ１０６のようにバックアップリスト作成用画面２２内の「決定」がユーザーにより選択されると、ＣＰＵ２０は図９に示すような画面２３を液晶モニタ１１１に表示し、時系列に画像データを並べるかユーザーに問い合わせる（ステップＳ１０８）。
【００４３】
画面２３の「ＹＥＳ」が選択された場合（ステップＳ１０８のＹＥＳ）、ＣＰＵ２０は画像ファイルのファイル名を、バックアップリスト２０１において時系列（カメラ１により画像が撮影された順）に並べる。画面２３の「ＮＯ」が選択された場合（ステップＳ１０８のＮＯ）、ＣＰＵ２０はバックアップリスト２０１に登録されたファイル名の並べ替えはしない。
【００４４】
次にＣＰＵ２０は図１０のような画像保存先記録媒体を選択するための画面２４を液晶モニタ１１１に表示して、保存先がＳＤ３２Ｂ、ＨＤＤ３２Ａ、ＰＣ、専用書き込み機２００の何れであるかユーザーに問い合わせる（ステップＳ１１０）。ＳＤカード３２Ｂ及びＨＤＤ３２Ａの何れか一方の場合（ステップＳ１１０のＹＥＳ）、ＣＰＵ２０はバックアップリスト２０１に登録されたファイル名に対応する画像データを、指定された保存先へ保存する。そしてＣＰＵ２０は履歴ファイル２０８を、バックアップリスト２０１に基づいて作成（次回からは更新）する（ステップＳ１１２）。履歴ファイル２０８は、ファイルのバックアップステイタスを示し、バックアップされた画像ファイルのファイル名及びバックアップ先の媒体名あるいは機器名が記述され、ＨＤＤ３２Ａに保存される。
【００４５】
図８（Ｂ）は、ＨＤＤ３２Ａに保存されている画像ファイルをＳＤカード３２Ｂにバックアップした場合に作成される履歴ファイル（ＢＵＨＹ）２０８を示す。履歴ファイル２０８は、図８（Ａ）のバックアップリストに登録されたファイル名が全てコピーされ、各ファイル名には保存先の識別子[ＳＤ]が付記されている。以後、画像ファイルがバックアップされると、ＣＰＵ２０はそのバックアップリストを参照して、履歴ファイル２０８を更新する。つまり、履歴ファイル２０８にはバックアップされた画像ファイルのファイル名及び保存先の識別子が追記される。
【００４６】
このような履歴ファイルはＳＤカード３２Ｂ内にも第２履歴ファイルとして作成される。この場合、ＳＤカード３２Ｂ内に作成される履歴ファイルに記載される各ファイル名には、識別子[ＨＤＤ]が付記される。更にＳＤカード３２Ｂに画像がバックアップされる度に、ＣＰＵ２０はＳＤカード３２Ｂ内に作成された第２履歴ファイルを更新する。
【００４７】
図１１は第２履歴ファイルの更新処理を示すフローチャートである。すなわち、ＣＰＵ２０はＳＤカード３２Ｂに画像をバックアップすると、ＳＤカードから第２履歴ファイルをデータベースファイル２０８として読込み（ステップＳ２０１）、バックアップリストを参照して第２履歴ファイルを更新する（ステップＳ２０２）。そしてＣＰＵ２０は、更新された第２履歴ファイルにより、ＳＤカード内に既に作成されている履歴ファイルを上書きする（ステップＳ２０３）。
【００４８】
これにより、ＳＤカード３２Ｂに記録された複数の画像において、撮影後、直接ＳＤカードに記録された画像と、ＨＤＤ３２Ａからコピーされた画像とを区別することができる。従って後述するように、ＳＤカード内の画像を例えば削除する処理を安全に行うことができる。
【００４９】
画像データのバックアップ先がＰＣ２０４又は専用書き込み機２００であった場合(ステップＳ１１０のＮＯ）、ＣＰＵ２０は図１２のようなケーブ接続指示画面２４を液晶モニター１１１に表示し、カメラ１とＰＣ２０４又は専用書き込み機２００を、ケーブを用いて接続するよう指示する。ユーザーはこの指示に応じて、カメラ１とＰＣ２０４又は専用書き込み機２００を接続し、ケーブ接続指示画面２４のＯＫボタンを選択する。この選択に応じて、パックアップリスト２０１に記述された画像ファイルは、カメラ１から専用書き込み機２００、あるいはＰＣ２０４のディスクドライブ２０７を介して汎用メディア２０５へコピーされる。
【００５０】
画像データのコピーが終了すると（ステップＳ１１４のＹＥＳ）、フローはステップＳ１１２に移行し、前述したようにＣＰＵ２０は、履歴ファイル２０８をバックアップリスト２０１に基づいて作成する。２回目以降のバックアップ処理の場合（履歴ファイル２０１がカメラ１内に既に存在する場合）、ＣＰＵ２０はバックアップリスト２０１に基づいて履歴ファイル２０８を更新する。図１３はこのようにして更新された履歴ファイル２０８を示す。この例はＰＣ２０４に２つの画像ファイルがバックアップされた場合を示す。この例では、１〜５行目のように、以前にＳＤカード３２Ｂにバックアップした画像のファイル名の次に、６及び７行目のように、ＰＣ２０４にバックアップした２つの画像ファイルのファイル名が追記されている。各ファイル名には、バックアップ先の識別子［ＳＤ］又は［ＰＣ］が付記されている。
【００５１】
次に図６のステップＳ１１３、Ｓ１１４、Ｓ１１２に示される処理の第２実施形態を説明する。第２実施形態では、画像データがＰＣ２０４又は専用書き込み機２００によりバックアップされた場合、履歴ファイルがＰＣ２０４又は専用書き込み機２００により作成（更新）される。この処理は上記図５に示されるバックアップ処理部２０３により実施される。
【００５２】
図５に示すように、専用書き込み機２００はバックアップ処理部２０３をハードウエアとして有し、ＰＣはバックアップ処理部２０３をアプリケーションソフトウェアとして有している。このアプリケーションソフトウェアは、ＣＤ等の光ディスクあるいはＨＤＤに格納することができ、ＰＣが有するＲＡＭ（図示されず）にロードして実行される。
【００５３】
図１４は第２実施形態の動作を示すフローチャートであり、図６のステップＳ１１３、Ｓ１１４、Ｓ１１２の代わりに実施される。
【００５４】
画像データのバックアップ先がＰＣ２０４又は専用書き込み機２００であった場合(図６のステップＳ１１０でＮＯの場合）、バックアップ処理部（以下、単に処理部という）２０３はステップＳ３０１のように、バックアップリスト２０１をカメラから取り込む。処理部２０３はバックアップリスト２０１に従って、画像データをカメラから取り込み（ステップＳ３０２）、記録メディアに保存する（ステップＳ３０３）。
【００５５】
処理部２０３はバックアップリストを参照して履歴ファイルを作成する（ステップＳ３０４）。２回目以降のバックアップ処理の場合（履歴ファイル２０１がカメラ１内に既に存在する場合）、処理部２０３は履歴ファイル２０１をカメラ１から取り込み、該履歴ファイルをバックアップリストを参照して図１３のように更新する。ステップＳ３０５のように処理部２０３は、作成（更新）した履歴ファイル２０８をデータベースファイルとしてカメラ１に送信する。
【００５６】
又、処理部２０３はステップＳ３０６のように、ステップＳ３０１で取り込んだバックアップリストを元にして、及び画像データがバックアップされた機器に応じて、ＰＣ２０４用あるいは専用書き込み機２００用の第３履歴ファイルを作成して保持する。この第３履歴ファイルには、カメラ１からコピーされた画像データのファイル名に、該画像データがカメラからコピーされたことを示す識別子（図示されず）が付記されて格納される。
【００５７】
カメラ１は、作成された履歴ファイルを受信すると、該履歴ファイルを保持する。又、カメラ１は、更新された履歴ファイルを受信すると、以前の履歴ファイルを、受信した履歴ファイルに置き換える。このようにして、画像データをバックアップする度に、カメラ１の履歴ファイルが更新される。
【００５８】
次に、履歴ファイル２０８により示されるバックアップステイタスを利用した実施形態を説明する。
【００５９】
図１５は、画像再生時のバックアップステイタス表示機能を説明するためのフローチャートである。カメラ１は通常の再生時において、カメラ１が装備する表示部１１０の液晶モニター１１１に、履歴ファイル２０８の情報を元にアイコ２１０を表示する。表示中の画像が、履歴ファイル２０８に登録されていれば、アイコン２１０を画像に重ねるように表示し（ステップＳ４０３）、履歴ファイル２０８に登録されていなければ、アイコン２１０は表示しない（ステップＳ４０４）。この機能は、重要な画像をバックアップするとき等に有効な機能である。
【００６０】
図１６は、履歴ファイルにより示されるバックアップステイタスを利用した他の実施形態を示す。カメラ１において画像の消去機能が実行される場合、カメラ１が装備する表示部１１０の液晶モニター１１１に、履歴ファイル２０８の情報を元に、警告２１１を表示する。表示されている画像の消去が指示された場合、当該画像が履歴ファイル２０８に登録されていなければ、警告２１１を表示する（ステップＳ５０４）。表示されている画像の消去が指示された場合、当該画像が履歴ファイル２０８に登録されていれば、警告２１１は表示しない（ステップＳ５０５）。この機能により、バックアップされていない重要な画像を、誤って削除することが防止される。
【００６１】
以上の説明では、履歴ファイル２０８を用いて、バックアップされている画像ファイルの識別が行われた。しかし、バックアップされている画像ファイルの識別は、ファイル名一覧を用いて行うことができる。ファイル名一覧は、撮影により記録された画像ファイル及び他の記録媒体から転送された画像ファイルのファイル名を全て記述した一覧表である。図１７は、バックアップの履歴情報が付記されたファイル名一覧２０９を示す。尚、ファイル名一覧２０９の１０及び１１行に示すファイル名に付記された［ＥＸ］は、当該ファイルが専用書き込み機２００によってバックアップされていることを示す識別子である。バックアップの識別子が付記されていないファイルは、カメラ１で撮影後、直接ＨＤＤ３２Ａに記録されたファイルである。
【００６２】
以上の説明はこの発明の実施の形態であって、この発明の装置及び方法を限定するものではなく、様々な変形例を実施することができる。又、各実施形態における構成要素、機能、特徴あるいは方法ステップを適宜組み合わせて構成される装置又は方法も本発明に含まれるものである。
【図面の簡単な説明】
【００６３】
【図１】本発明が適用される電子カメラ装置１の概観を示す図である。
【図２】電子カメラ装置１の光学系、電気系の構成を示すブロック図である。
【図３】メニューボタン１１７の操作により、撮影メニューが液晶モニタ１１１に表示された様子を示す図である。
【図４】液晶モニタ上で「アルバム選択」という項目が選択されている様子を示す図である。
【図５】カメラ１とＰＣ１０８又は専用書き込み機２００を接続した場合の構成を示す。
【図６】バックアップリストの作成動作を示すフローチャートである。
【図７】バックアップリスト作成用画面を示す図である。
【図８】バックアップリスト及び履歴ファイルの例示す図である。
【図９】時系列に画像データを並べるか問い合わせるための画面を示す図である。
【図１０】画像保存先記録媒体を選択するための画面を示す図である。
【図１１】ＳＤカード内に作成された第２履歴ファイルの更新処理を示すフローチャートである。
【図１２】ケーブ接続指示画面を示す図である。
【図１３】本発明の第２実施形態の動作を示すフローチャートである。
【図１４】更新された履歴ファイルを示す図である。
【図１５】履歴ファイルにより示されるバックアップステイタスを利用した実施形態を示す。
【図１６】履歴ファイルにより示されるバックアップステイタスを利用した他の実施形態を示す。
【図１７】バックアップの履歴情報が付記されたファイル名一覧２０９を示す。
【符号の説明】
【００６４】
１０１…撮像レンズ、１０２…フラッシュ、１０３…シャッターボタン、１０４…リモコン受信部、１０５…バッテリーカバー、１１０…表示部、１１１…液晶モニタ、１１２…スピーカ、１１３…パワーボタン、１１４…ズームバー、１１５…ムービー録画ボタン、１１６…ジョグダイヤル、１１７…メニューボタン、１１８…モードレバー、１１９…カードスロットカバー、１２０…ＯＫボタン、２００…専用書き込み機、２０１…バックアップリスト、２０２…画像データ、２０３…バックアップ処理部、２０４…パーソナルコンピュータ、２０５…可搬型記録媒体、２０６…アプリケーションソフトウェア、２０７…ディスクドライブ、２０８履歴ファイル、
【図１】
2006311067.tif 000003
【図２】
2006311067.tif 000004
【図３】
2006311067.tif 000005
【図４】
2006311067.tif 000006
【図５】
2006311067.tif 000007
【図６】
2006311067.tif 000008
【図７】
2006311067.tif 000009
【図８】
2006311067.tif 000010
【図９】
2006311067.tif 000011
【図１０】
2006311067.tif 000012
【図１１】
2006311067.tif 000013
【図１２】
2006311067.tif 000014
【図１３】
2006311067.tif 000015
【図１４】
2006311067.tif 000016
【図１５】
2006311067.tif 000017
【図１６】
2006311067.tif 000018
【図１７】
2006311067.tif 000019